(57)【特許請求の範囲】
【請求項１】
被写体像を撮像して画像情報を出力する撮像センサと、
前記撮像センサから出力される画像情報を増幅する際のＩＳＯ感度の値に応じた出力信号増幅ゲインの値を設定するゲイン設定部と、
前記ＩＳＯ感度の値及び色温度と、ホワイトバランスゲインの値とを対応付けた対応情報を格納する格納部と、
前記ＩＳＯ感度の値と、ホワイトバランス補正の際に用いる色温度とに応じて、ホワイトバランスゲインの値を前記格納部から読み出し、この読み出したホワイトバランスゲインの値を、ホワイトバランス補正に用いるホワイトバランスゲインとして決定する決定部と、
前記設定部で設定された出力信号増幅ゲインの値を前記撮像センサから出力された画像情報に対して乗算することにより得られた画像情報に対して、前記決定部で決定されたホワイトバランスゲインの値に基づいて、ホワイトバランス補正を行うホワイトバランス補正部と、
を備える撮像装置。
【請求項２】
前記撮像センサの駆動モードとして複数の駆動モードを備え
前記格納部は、前記複数の駆動モードのそれぞれに応じた対応情報を格納しており、
前記決定部は、前記複数の駆動モードに応じた対応情報に基づいて、ホワイトバランス補正に用いるホワイトバランスゲインを決定する、
請求項１に記載の撮像装置。
【請求項３】
前記決定部は、前記増幅する際のＩＳＯ感度が所定のＩＳＯ感度よりも高感度側である場合は、前記増幅する際のＩＳＯ感度よりも低感度側のＩＳＯ感度におけるホワイトバランスゲインを前記格納部から読み出し、ホワイトバランス補正に適用するホワイトバランスゲインとして決定する、
請求項１または２に記載の撮像装置。
【発明の詳細な説明】
【技術分野】
【０００１】
本発明は撮像装置に関し、特にホワイトバランス補正が可能な撮像装置に関する。
【背景技術】
【０００２】
デジタルカメラは、例えば特許文献１に記載のように、撮像センサから出力される画像情報に基づいて、ホワイトバランスゲインを演算し、画像情報に対してホワイトバランス補正を行う。
【先行技術文献】
【特許文献】
【０００３】
【特許文献１】特開平７−０２３４００号公報
【発明の概要】
【発明が解決しようとする課題】
【０００４】
撮像センサから出力される画像信号にはノイズ成分が含まれており、ＩＳＯ感度が高くなるほど、出力信号増幅ゲインが高くなるため、画像信号におけるノイズ成分の影響が大きくなる。そのため、従来は、ＩＳＯ６４００やＩＳＯ１２８００といった高感度のＩＳＯは利用されていなかった。しかし、近年の技術向上により高感度ＩＳＯにおけるノイズの問題は解決されつつあり、高感度のＩＳＯに対する利用の要求が生じている。
【０００５】
ここで、従来のホワイトバランス補正では、設定されたＩＳＯ感度によらず、所定のＩＳＯ感度（例えば１００）に基づき、ホワイトバランスゲインが演算され、その演算されたホワイトバランスゲインに基づいてホワイトバランス補正が行われていた。
【０００６】
しかし、ＩＳＯ６４００やＩＳＯ１２８００といった高感度のＩＳＯで撮影を行った場合において、所定のＩＳＯ感度（例えば１００）に基づきホワイトバランスゲインを演算すると、ホワイトバランス補正後の画像において、適切に色が再現されないという問題があることが判明した。
【０００７】
本発明は、上記課題に鑑みてなされたものであり、高感度のＩＳＯの利用時においても、適切な色が再現されるようにホワイトバランス補正を行うことができる撮像装置を提供することを目的とする。
【課題を解決するための手段】
【０００８】
上記課題を解決するために本発明の撮像装置は、被写体像を撮像して画像情報を出力する撮像センサと、撮像センサから出力される画像情報を増幅する際のＩＳＯ感度の値に応じた出力信号増幅ゲインの値を設定するゲイン設定部と、ゲイン設定部で設定された出力信号増幅ゲインの値に応じて、ホワイトバランス補正に用いるホワイトバランスゲインの値を決定する決定部と、撮像センサから出力された画像情報に対して、設定部で設定された出力信号増幅ゲインの値及び決定部で決定されたホワイトバランスゲインの値に基づいて、ホワイトバランス補正を行うホワイトバランス補正部と、を備える。
【発明の効果】
【０００９】
本発明によれば、ＩＳＯ感度に応じた出力信号増幅ゲインの値に応じて、ホワイトバランス補正に用いるホワイトバランスゲインの値が決定され、決定されたホワイトバランスゲインの値に基づいてホワイトバランス補正が行われる。したがって、ＩＳＯ感度の値に応じたホワイトバランス補正を行うことができる。これにより、ＩＳＯ感度の値によらず、適切な色が再現されるようにホワイトバランス補正を行うことができる。例えば、ＩＳＯ感度値が大きい高感度時においても、適切な色が再現されるようにホワイトバランス補正を行うことができる。
【図面の簡単な説明】
【００１０】
【図１】本実施形態のデジタルカメラの正面図である。
【図２】本実施形態のデジタルカメラの背面図である。
【図３】本実施形態のデジタルカメラの電気的構成図である。
【図４】本実施形態の画像処理部の電気的構成図である。
【図５】本実施形態のブロックメモリを説明するための図である。
【図６】本実施形態のホワイトバランスゲインの設定テーブルである。
【図７Ａ】色温度に対するホワイトバランスゲインの関係を示す図である。具体的には、（Ｒ、Ｇ、Ｂ）の「Ｒ」成分についての、色温度に対するホワイトバランスゲインの関係を示す図である。
【図７Ｂ】色温度に対するホワイトバランスゲインの関係を示す図である。具体的には、（Ｒ、Ｇ、Ｂ）の「Ｂ」成分についての、色温度に対するホワイトバランスゲインの関係を示す図である。
【図８】ＩＳＯ感度に対するＣＣＤイメージセンサの出力値の特性を示す図である。
【図９】本実施形態のデジタルカメラのホワイトバランス補正動作のフローチャートである。
【発明を実施するための形態】
【００１１】
（実施の形態１）
以下、図面を参照して実施の形態にかかるデジタルカメラについて説明する。
【００１２】
１．構成
まず、実施の形態１のデジタルカメラ１００の構成について説明する。
【００１３】
１−１．デジタルカメラ１００の構成
図１は、デジタルカメラ１００の正面図である。デジタルカメラ１００は、前面に、光学系１１０を納める鏡筒３００、及びフラッシュ１６０を備える。また、デジタルカメラ１００は、上面に、レリーズ釦２０１、ズームレバー２０２、電源釦２０３などの操作部材を備える。
【００１４】
図２は、デジタルカメラ１００の背面図である。デジタルカメラ１００は、背面に、液晶モニタ１２３を備える。また、デジタルカメラ１００は、背面に、中央釦２０４、十字釦２０５などの操作部材を備える。
【００１５】
図３は、デジタルカメラ１００の電気的構成図である。デジタルカメラ１００は、光学系１１０、ＣＣＤイメージセンサ１２０、ＡＦＥ（アナログ・フロント・エンド）１２１、画像処理部１２２、液晶モニタ１２３、バッファメモリ１２４、コントローラ１３０、カードスロット１４１、フラッシュメモリ１４２、操作部１５０、及びフラッシュ１６０を有する。デジタルカメラ１００は、光学系１１０を介してＣＣＤイメージセンサ１２０の受光面上に被写体像を結像させ、結像させた被写体像をＣＣＤイメージセンサ１２０で撮像する。ＣＣＤイメージセンサ１２０は、撮像した被写体像に関する画像情報を生成する。生成された画像情報に対しては、ＡＦＥ１２１及び画像処理部１２２において各種処理が施される。各種処理が施された画像情報はフラッシュメモリ１４２やメモリカード１４０に記録される。フラッシュメモリ１４２やメモリカード１４０に記録された画像情報は、使用者による操作部１５０に対する操作に応じて液晶モニタ１２３上に表示される。以下、図１〜図３に示す各構成の詳細を説明する。
【００１６】
光学系１１０は、フォーカスレンズ１１１、ズームレンズ１１２、絞り１１３、及びシャッタ１１４等を含む。光学系１１０は、光学式手ぶれ補正レンズＯＩＳ（Optical Image Stabilizer）を含んでいてもよい。なお、光学系１１０を構成するフォーカスレンズ１１１、ズームレンズ１１２等の各種レンズは、１枚または複数枚のレンズにより構成可能であり、また、１群または複数群のレンズ群により構成可能である。
【００１７】
フォーカスレンズ１１１は被写体のフォーカス状態の調節に用いられる。ズームレンズ１１２は被写体の画角の調節に用いられる。絞り１１３は、ＣＣＤイメージセンサ１２０に入射する光の量の調節に用いられる。シャッタ１１４は、ＣＣＤイメージセンサ１２０に入射する光の量（露出時間）を調節する。フォーカスレンズ１１１、ズームレンズ１１２、絞り１１３、及びシャッタ１１４は、それぞれに対応したＤＣモータやステッピングモータ等の駆動手段により、コントローラ１３０から出力された制御信号に従って駆動される。
【００１８】
ＣＣＤイメージセンサ１２０の受光面には多数のフォトダイオードが２次元的に配列されている。また、各フォトダイオードに対して、Ｒ、Ｇ、Ｂの原色カラーフィルタが所定の配列構造で配置されている。撮像対象となる被写体からの光は、光学系１１０を通過した後に、ＣＣＤイメージセンサ１２０の受光面に結像される。結像された被写体像は、各フォトダイオードへ入射した光の量に応じて、Ｒ、Ｇ、Ｂの色情報にそれぞれ変換される。つまり、被写体像を示す画像情報が生成される。各フォトダイオードは、ＣＣＤイメージセンサ１２０の画素に対応する。各フォトダイオードから出力される色情報は、Ｒ、Ｇ、Ｂのいずれかの原色情報である。各画素で発現させるべき色に関する情報（画像情報）は、画像処理部１２２において、各画素に対応するフォトダイオード、およびその周辺のフォトダイオードから出力される色情報（色、光量等の情報）に基づき生成される。以下の説明において適宜、画像情報を、各画素のＲ、Ｇ、Ｂの値の組合せでなる（Ｒ１、Ｇ１、Ｂ１）と表記することにする。このとき、（Ｒ，Ｇ，Ｂ）の各成分のＲ、Ｇ，Ｂの値は、それぞれの原色の組合せ度合を示す。
【００１９】
また、ＣＣＤイメージセンサ１２０は、デジタルカメラ１００の動作モードに対応した幾つかの駆動モードに基づいて動作する。デジタルカメラ１００の動作モードとしては、静止画撮影動作モード、動画撮影動作モード、スルー画像撮影動作モードなどがある。静止画撮影動作モードは、ＣＣＤイメージセンサ１２０により静止画像を撮像するときの動作モードである。静止画撮影動作モードにおいては、コントローラ１３０は、撮像する静止画像の画質が良好なものとなるように、画質を他のパラメータに優先して、ＣＣＤイメージセンサ１２０の蓄積電荷の読出し動作を実行させる。動画像撮影動作モードは、ＣＣＤイメージセンサ１２０により動画像を撮像するときの動作モードである。動画撮影動作モードにおいては、コントローラ１３０は、メモリカード１４０へ動画像を記録する際、撮像する動画像に要求される画質が確保され、かつ十分な記録速度が得られるように、ＣＣＤイメージセンサ１２０の蓄積電荷の読出し動作を実行させる。スルー画像撮影動作モードは、ＣＣＤイメージセンサ１２０によりスルー画像を撮像するときの動作モードである。スルー画像とは、ＣＣＤイメージセンサ１２０により一定時間ごとに連続して生成される画像を連続して表示させるための画像である。スルー画像撮影動作モードにおいては、コントローラ１３０は、撮像するスルー画像に要求される画質が確保され、かつ液晶モニタ１２３へのスルー画像の表示の際、十分な表示速度が得られるように、ＣＣＤイメージセンサ１２０の蓄積電荷の読出し動作を実行させる。
【００２０】
ＡＦＥ１２１は、ＣＣＤイメージセンサ１２０から読み出された画像情報に対して、相関二重サンプリングによる雑音抑圧、アナログゲインコントローラによるＩＳＯ感度値に基づくゲイン（出力信号増幅ゲイン）の乗算、ＡＤコンバータによるＡＤ変換を行う。その後、ＡＦＥ１２１は、画像情報を画像処理部１２２に出力する。
【００２１】
画像処理部１２２は、ＡＦＥ１２１から出力された画像情報に対して各種の処理を施す。各種処理としては、ＢＭ（ブロックメモリ）積算、スミア補正、ホワイトバランス補正、ガンマ補正、ＹＣ変換処理、電子ズーム処理、圧縮処理、伸張処理等が挙げられるが、これらに限定されるものではない。画像処理部１２２は、ハードワイヤードな電子回路で構成してもよいし、プログラムを用いたマイクロコンピュータなどで構成してもよい。また、画像処理部１２２は、コントローラ１３０などとともに１つの半導体チップで構成してもよい。
【００２２】
画像処理部１２２は、図４に示すように、入力された画像情報に対してＢＭデータを生成するＢＭ積算回路１３１を有する。図５（ａ）、（ｂ）は、ＢＭ積算回路１３１の機能の概要を説明する図である。ＢＭ積算回路１３１は、図５（ａ）に示すように、入力されたフレームの画像情報を、ｎ×ｍ個のブロックＢｉｊに分割する。図５（ａ）は、ｎ＝１２、ｍ＝１２のとき、つまり、縦１２×横１２の１４４個のブロックＢｉｊ（ｉ＝１〜１２、ｊ＝１〜１２）に分割した場合を示している。ここで、図５（ｂ）に示すように、分割された各ブロックＢｉｊは、Ｒ，Ｇ，Ｂの原色情報をブロック内に含まれる画素数分有する。続いて、ＢＭ積算回路１３１は、各ブロックにおいて、ブロック内に含まれる各画素の光量（例えば輝度値）を、Ｒ画素，Ｇ画素，Ｂ画素毎に積算し、Ｒ画素，Ｇ画素，Ｂ画素毎に平均値を算出する。この算出されたブロック内のＲ，Ｇ、Ｂの各画素の強度の平均値を「ＢＭデータ」と呼ぶ。算出されたＢＭデータは、ブロック毎にメモリ（不図示）に格納され、必要に応じて取り出される。ＢＭ積算回路１３１は、分割した１４４個のブロックのそれぞれにおいて、以上の方法でＢＭデータを生成する。
【００２３】
画像処理部１２２は、さらに、入力された画像情報に対してホワイトバランス補正を行うホワイトバランス補正回路１３３を有する。ホワイトバランス補正回路１３３は、光源推定部１３３ａ、及びホワイトバランス補正部１３３ｂ等を有する。ホワイトバランスの補正には、オートホワイトバランス機能による補正と、マニュアルホワイトバランス機能による補正とがある。
【００２４】
オートホワイトバランス機能による補正では、ホワイトバランス補正回路１３３は、光源の色温度を自動的に推定する。光源の色温度の自動推定は、光源推定部１３３ａにより実行される。光源推定部１３３ａは、上述したＢＭデータを入力し、入力されたＢＭデータに基づいて、ホワイトバランス補正に適用すべき光源色を推定する。そして、光源推定部１３３ａは、推定した光源色をコントローラ１３０に通知する。コントローラ１３０は、通知された光源色に基づいて、適用すべきホワイトバランスゲインを決定し、決定結果をホワイトバランス補正回路１３３のホワイトバランス補正部１３３ｂに通知する。そして、ホワイトバランス補正部１３３ｂは、画像情報に、決定されたホワイトバランスゲインを乗じて、画像処理部１２２内の他の処理部に出力する。この他の処理部は、ホワイトバランス補正回路１３３の処理及び後述の処理により処理されたデータを液晶モニタ１２３に出力し、またバッファメモリ１２４に出力する。
【００２５】
一方、マニュアルホワイトバランス機能による補正では、使用者が任意に光源の色温度を設定可能である。使用者が任意に光源の色温度を設定する方法としては、例えば、電球（３２００Ｋ）、蛍光灯（４５００Ｋ）、太陽光（５５００Ｋ）、曇り空（６５００Ｋ）等の代表的な光源を選択する方法でもよいし、色温度をＫ（ケルビン）の数値により指定する方法でもよい。コントローラ１３０は、使用者が設定した光源色に基づいて、適用すべきホワイトバランスゲインを決定し、決定結果をホワイトバランス補正回路１３３に通知する。そして、ホワイトバランス補正回路１３３は、画像情報に、決定されたホワイトバランスゲインを乗じて、画像処理部１２２内の処理部に出力する。
【００２６】
液晶モニタ１２３は、画像処理部１２２にて処理された画像情報に基づく画像を表示する。液晶モニタ１２３が表示する画像には、スルー画像や縮小記録画像がある。スルー画像は、撮影中、ＣＣＤイメージセンサ１２０により一定時間ごとに連続して生成される画像を、液晶モニタ１２３に連続して表示させるための画像である。通常、スルー画像は、デジタルカメラ１００が撮影モードにあるときに、画像処理部１２２により、ＣＣＤイメージセンサ１２０の生成した画像情報に基づいて生成される。スルー画像を液晶モニタ１２３に表示することにより、使用者は、液晶モニタ１２３に表示されるスルー画像を参照することにより被写体の構図を確認しつつ、撮影できる。縮小記録画像は、メモリカード１４０等に記録された画像を、デジタルカメラ１００が再生モードにあるときに液晶モニタ１２３に表示するための画像であり、メモリカード１４０等に記録された高画素の画像を低画素化して縮小した画像である。メモリカード１４０に記録される高画素の画像情報は、使用者によるレリーズ釦２０１の操作を受け付けた後に、ＣＣＤイメージセンサ１２０が生成した画像情報に基づいて画像処理部１２２により生成される。
【００２７】
コントローラ１３０は、デジタルカメラ１００全体の動作を統括制御する。コントローラ１３０は、ハードワイヤードな電子回路で構成してもよいし、マイクロコンピュータなどで構成してもよい。また、画像処理部１２２などと共に１つの半導体チップで構成してもよい。
【００２８】
フラッシュメモリ１４２は、画像情報等を記録するための内部メモリとして機能する。また、フラッシュメモリ１４２は、オートフォーカス制御（ＡＦ制御）、自動露出制御（ＡＥ制御）、及びフラッシュ１６０の発光制御に関するプログラムの他、デジタルカメラ１００全体の動作を統括制御するためのプログラムを格納している。
【００２９】
また、フラッシュメモリ１４２は、ホワイトバランスゲインの設定テーブル２００を格納している。図６は、ホワイトバランスゲイン設定テーブルを示す。図６に示すように、ホワイトバランスゲイン設定テーブル２００には、ある光源（色温度）に対して、デジタルカメラ１００にて設定可能なＩＳＯ感度値に対応するホワイトバランスゲインが規定されている。例えば電球（３２００Ｋ）に対して、ＩＳＯ感度がＩＳＯ１００、ＩＳＯ２００、…、ＩＳＯ６４００、ＩＳＯ１２８００のときの、それぞれのホワイトバランスゲインが規定されている。同様に、他の光源である蛍光灯（４５００Ｋ）、太陽光（５５００Ｋ）、曇り空（６５００Ｋ）に対して、ＩＳＯ感度がＩＳＯ１００、ＩＳＯ２００、…、ＩＳＯ６４００、ＩＳＯ１２８００のときのそれぞれのホワイトバランスゲインが規定されている。これらのホワイトバランスゲインは、ホワイトバランス補正回路１３３によって、ＣＣＤイメージセンサ１２０が出力する画像信号成分とノイズ成分を含む画像情報に対して、それぞれのＩＳＯ感度値に応じたゲインを乗じた結果に対して乗算される。例えば、ＩＳＯ１００のときのホワイトバランスゲインは、ホワイトバランス補正回路１３３によって、ＣＣＤイメージセンサ１２０が出力する画像信号成分とノイズ成分を含む画像情報に対して、ＩＳＯ１００に応じたゲインを乗じた結果に対して乗算される。同様に、ＩＳＯ６４００のときのホワイトバランスゲインは、ホワイトバランス補正回路１３３によって、ＣＣＤイメージセンサ１２０が出力する画像情報に対して、ＩＳＯ６４００に応じたゲインを乗じた結果に対して乗算される。このように、ＣＣＤイメージセンサ１２０が出力する画像情報に対して、ホワイトバランス補正回路１３３によって、ＩＳＯ感度に応じたホワイトバランスゲインが乗算される。これにより、ＩＳＯ感度によらず、色再現性の改善された画像を得ることが可能となる。特に、高ＩＳＯ感度時には、ＣＣＤイメージセンサ１２０が出力する画像信号成分のリニアリティが、標準的なＩＳＯ感度時と比べて、色成分毎に大きくずれてくるため、色再現性がそこなわれやすいが、本実施形態では、このような問題が軽減される。
【００３０】
なお、ホワイトバランスゲインの設定テーブル２００は、ＣＣＤイメージセンサ１２０の駆動モード毎に設けられている。すなわち、フラッシュメモリ１４２は、静止画撮影動作モードに対応したホワイトバランスゲイン設定テーブル２０１、動画撮影動作モードに対応したホワイトバランスゲイン設定テーブル２０２、スルー画像撮影動作モードに対応したホワイトバランスゲイン設定テーブル２０３を格納している。これにより、コントローラ１３０は、ＣＣＤイメージセンサ１２０の駆動モードに対応したホワイトバランスゲイン設定テーブルから必要な情報を読み出すことができる。
【００３１】
バッファメモリ１２４は、画像処理部１２２やコントローラ１３０のワークメモリとして機能する記憶手段である。バッファメモリ１２４はＤＲＡＭ（Dynamic Random Access Memory）などで実現できる。
【００３２】
カードスロット１４１は、メモリカード１４０を着脱可能な接続手段である。カードスロット１４１は、メモリカード１４０を電気的及び機械的に接続可能である。また、カードスロット１４１は、メモリカード１４０を制御する機能を備えてもよい。
【００３３】
メモリカード１４０は、内部にフラッシュメモリ等の記録部を備えた外部メモリである。メモリカード１４０は、画像処理部１２２で処理される画像情報などのデータを記録可能である。
【００３４】
操作部１５０は、デジタルカメラ１００の外装に備えられている操作釦や操作ダイヤルの総称であり、使用者による操作を受け付ける。例えば図１や図２に示したレリーズ釦２０１や、ズームレバー２０２、電源釦２０３、中央釦２０４、十字釦２０５などが操作部１５０にあたる。操作部１５０は使用者による操作を受け付けると、コントローラ１３０に種々の動作指示信号を出力する。
【００３５】
レリーズ釦２０１は、半押し状態と全押し状態の２つの状態をとることが可能な二段階押下式釦である。レリーズ釦２０１が使用者により半押しされると、コントローラ１３０は、ＡＦ（Auto Focus）制御やＡＥ（Auto Exposure）制御を実行し撮影条件を決定する。続いて、レリーズ釦２０１が使用者により全押しされると、コントローラ１３０は、ＣＣＤイメージセンサ１２０により静止画像を撮像し、撮像された画像の情報をメモリカード１４０等に記録する。
【００３６】
ズームレバー２０２は、撮像される画像の画角を広角端と望遠端との間で調整するためのレバーである。ズームレバー２０２は、操作後、広角端と望遠端との間の略中央の位置に自動的に戻る中央位置自己復帰式のレバーである。ズームレバー２０２は、使用者により操作されると、コントローラ１３０にズームレンズ１１２を駆動するための動作指示信号を出力する。例えば、ズームレバー２０２が広角端の位置に操作されると、コントローラ１３０は、被写体を広角で捉えられるようにズームレンズ１１２を駆動する。ズームレバー２０１が望遠端の位置に操作されると、コントローラ１３０は、被写体を望遠で捉えられるようにズームレンズ１１２を駆動する。
【００３７】
電源釦２０３は、デジタルカメラ１００を構成する各部への電力供給をＯＮ/ＯＦＦするための押下式釦である。電源ＯＦＦ時に電源釦２０３が使用者により押下されると、コントローラ１３０はデジタルカメラ１００を構成する各部に電力を供給し、起動させる。また、電源ＯＮ時に電源釦２０３が使用者により押下されると、コントローラ１３０は各部への電力供給を停止する。
【００３８】
中央釦２０４は、押下式釦である。デジタルカメラ１００が撮影モードあるいは再生モードにあるときに、中央釦２０４が使用者により押下されると、コントローラ１３０は液晶モニタ１２３にメニュー画面を表示する。メニュー画面は、撮影/再生のための各種条件等を設定するための画面である。中央釦２０４は、各種条件の設定項目が選択されているときに押下されると、決定釦として機能する。
【００３９】
十字釦２０５は、中央釦２０４の上下左右に設けられた４つの釦で構成される。これらの釦は、押下式釦である。使用者は、十字釦２０５を構成する上下左右の釦のいずれかを押下することにより、選択位置を上下左右に移動させて、液晶モニタ１２３に表示される各種条件項目を選択することができる。
【００４０】
フラッシュ１６０は、キセノン管、コンデンサ、昇圧回路、発光トリガ回路などから構成される。デジタルカメラ１００は、撮影時に、被写体に対してフラッシュ１６０を瞬間的に発光させることによって、被写体を明るくすることができる。
【００４１】
１−２．対応関係
ＣＣＤイメージセンサ１２０は、撮像センサの一例である。ＡＦＥ１２１は、ゲイン設定部の一例である。フラッシュメモリ１４２は、格納部の一例である。コントローラ１３０は、決定部の一例である。画像処理部１２２は、ホワイトバランス補正部の一例である。コントローラ１３０は、色温度設定部の一例である。デジタルカメラ１００は、撮像装置の一例である。
【００４２】
１−３．動作
デジタルカメラ１００のホワイトバランス補正動作を説明する。なお、補正動作の説明を行う前に、本実施形態の課題について説明しておく。図７Ａ、図７Ｂは、色温度に対するホワイトバランスゲインの関係を示す図である。具体的には、図７Ａは、画像情報（Ｒ、Ｇ、Ｂ）の中の「Ｒ」成分についての、色温度に対するホワイトバランスゲインの関係を示す図である。図７Ｂは、画像情報（Ｒ、Ｇ、Ｂ）の中の「Ｂ」成分についての、色温度に対するホワイトバランスゲインの関係を示す図である。これらの図は、一例として、ＩＳＯ１００のときとＩＳＯ１２８００のときに適切なホワイトバランスを与えることが可能なホワイトバランスゲインを示している。図７Ａ、図７Ｂに示すように、ＩＳＯ１００のときとＩＳＯ１２８００のときでは、同じ光源であってもホワイトバランスゲインに差がある。これは、以下のような理由による。
【００４３】
すなわち、図８は、ＩＳＯ感度値に対するＣＣＤイメージセンサ１２０の出力特性を示す。図８に示すように、ＣＣＤイメージセンサ１２０が出力する画像信号の大きさが、ＩＳＯ感度に対してリニアリティを有していないことが原因である。なお、図８は、ＣＣＤイメージセンサ１２０から出力されるＲ、Ｇ、Ｂの画像信号のうち、一例として「Ｒ」成分についての出力特性を示している。図８に図示はしていないが、画像信号を構成する「Ｒ」成分、「Ｇ」成分、「Ｂ」成分の間においても、ＩＳＯ感度に対してリニアリティに差がある。そのため、図７Ａ、図７Ｂに示すように、例えば、太陽光に着目すると、Ｒ成分（図７Ａ参照）においては、ＩＳＯ感度１２８００のときの方がＩＳＯ感度１００のときよりもホワイトバランスゲイン（α）が大きいのに対し、Ｂ成分（図７Ｂ参照）においては、ＩＳＯ感度１００のときの方がＩＳＯ感度１２８００のときよりもホワイトバランスゲイン（β）が大きくなっている。したがって、例えば、ＩＳＯ１２８００が設定されているときに、ＩＳＯ１００のときのホワイトバランスゲインを用いてホワイトバランス補正を行うと、ホワイトバランス補正後の画像の色味が本来の色味に対してずれが生じるという問題が生じる。特に、色成分毎のリニアリティの相違による同一ＩＳＯでの出力値の差が例えば１０％を超えると、使用者が容易に認識出きるほどに色味にずれが生じる。従来は、ＩＳＯ６４００やＩＳＯ１２８００といった高感度のＩＳＯは、ノイズが非常に多い等の問題により利用されていなかった。そのため、上記問題が顕著になることはなかった。しかし、近年の技術向上により高感度ＩＳＯにおけるノイズの問題は解決されつつあり、高感度のＩＳＯに対する利用の要求が生じている。これに対処するため、本実施形態では、ＩＳＯ感度に応じたホワイトバランスゲインを設定する構成を採用し、高感度ＩＳＯの利用時における上記問題を解決している。以下、本実施形態のデジタルカメラ１００のホワイトバランス補正動作について、図９を用いて説明する。
【００４４】
図９は、実施の形態１に係るデジタルカメラ１００のホワイトバランス補正動作のフローチャートである。デジタルカメラ１００が静止画像や動画像の撮影モードにあるとき、ＣＣＤイメージセンサ１２０は、被写体像を撮像して画像情報を生成する（Ｓ７００）。コントローラ１３０は、ＣＣＤイメージセンサ１２０が生成した画像情報に対して、ＡＦＥ１２１において各種の処理を施させた後、画像処理部１２２に出力させる。ＡＦＥ１２１は、取得した画像情報に対してＩＳＯ感度値に基づくゲイン（出力信号増幅ゲイン）を乗じる（Ｓ７０１）。例えば、ＡＦＥ１２１において、ＣＣＤイメージセンサ１２０が生成した画像情報（Ｃｒｃ、Ｃｒｇ、Ｃｒｂ）に、ＩＳＯ感度値に基づくゲイン（Ｇｉｒ、Ｇｉｇ、Ｇｉｂ）を乗算し、（Ｃｒｃ・Ｇｉｒ，Ｃｒｇ・Ｇｉｇ，Ｃｒｂ・Ｇｉｂ）という出力が得られる。ＩＳＯ感度値に基づくゲインは、例えばＩＳＯ感度値に比例した大きさとなる。このとき設定されるＩＳＯ感度値は、コントローラ１３０に画像処理部１２２から通知された画像処理結果に基づいてコントローラ１３０が自動的に決定してもよいし、使用者が任意に設定してもよい。コントローラ１３０が自動的に決定する場合は、画像処理部１２２から通知された画像処理結果に基づいて、所定のプログラム線図に従ってＩＳＯ感度値が決定される。使用者が任意に設定する場合は、使用者が中央釦２０４や十字釦２０５を操作して、液晶モニタ１２３上にＩＳＯ感度値の設定画面を表示させた後、表示された設定候補のＩＳＯ感度値のうち、使用者が選択したＩＳＯ感度値が設定される。
【００４５】
画像情報が供給されると、画像処理部１２２は、ホワイトバランス補正処理を実行する。このとき、ホワイトバランス補正の方法としては、上述したように、オートホワイトバランス機能による補正と、マニュアルホワイトバランス機能による補正とがある。オートホワイトバランス機能による補正の場合、ホワイトバランス補正回路１３３は、自動で光源の色温度を推定する。そして、ホワイトバランス補正回路１３３は、色温度の推定結果をコントローラ１３０に通知する。一方、マニュアルホワイトバランス機能による補正の場合、使用者が任意に光源の色温度を設定する。コントローラ１３０は、ホワイトバランス補正回路１３３から通知された色温度、または使用者により設定された光源の色温度を認識し、これらの色温度をホワイトバランス補正用の色温度として設定する。
【００４６】
コントローラ１３０は、設定されたＩＳＯ感度値および色温度に基づいて、対応するホワイトバランスゲインを決定する。詳細には、コントローラ１３０は、設定されたＩＳＯ感度値および色温度に基づいて、フラッシュメモリ１４２に格納されたホワイトバランスゲイン設定テーブル２００から、対応するホワイトバランスゲインを読み出す（Ｓ７０２）。
【００４７】
フラッシュメモリ１４２は、上述したように、ＣＣＤイメージセンサ１２０の駆動モードに対応したホワイトバランスゲイン設定テーブル２０１、２０２、２０３を格納している。ステップＳ７０２において、コントローラ１２０は、ＣＣＤイメージセンサ１２０の現在の駆動モードに対応したホワイトバランスゲイン設定テーブル２０１、２０２、２０３から、設定されたＩＳＯ感度値および色温度に対応するホワイトバランスゲインを読み出す。
【００４８】
例えば、設定されたＩＳＯ感度値がＩＳＯ２００で、推定或いは設定された色温度が太陽光の色温度（５５００Ｋ）であった場合、対応するホワイトバランスゲインは、図６のテーブルにしたがい、（αc2，１，βc2）となる。このとき、コントローラ１３０は、フラッシュメモリ１４２から対応するホワイトバランスゲイン（αc2，１，βc2）を読み出す（Ｓ７０２）。
【００４９】
続いて、コントローラ１３０は、ホワイトバランス補正に適用するホワイトバランスゲインを決定する（Ｓ７０３）。この場合においては、ホワイトバランスゲイン設定テーブル２００に、対応するホワイトバランスゲインが存在したので、読み出したホワイトバランスゲイン（αc2，１，βc2）を、ホワイトバランス補正に適用するホワイトバランスゲインとして決定する（Ｓ７０３）。コントローラ１３０は、ここで決定したホワイトバランスゲインを画像処理部１２２に通知する。そして、画像処理部１２２内のホワイトバランス補正回路１３３は、ステップＳ７０１でＩＳＯ感度値に基づくゲインを乗算したことにより得られた画像情報に対して、コントローラ１３０から通知されたホワイトバランスゲインを乗算処理する（Ｓ７０４）。ステップＳ７０１でＩＳＯ感度値に基づくゲインが乗算されたことにより得られた画像情報（Ｃｒｃ・Ｇｉｒ，Ｃｒｇ・Ｇｉｇ，Ｃｒｂ・Ｇｉｂ）を（Ｄｒ，Ｄｇ，Ｄｂ）としたとき、ホワイトバランスゲインを乗算した結果は、（αc2・Ｄｒ，Ｄｇ，βc2・Ｄｂ）となる。コントローラ１３０は、その乗算結果を画像処理部１２２内の処理部に出力する。
【００５０】
なお、フラッシュメモリ１４２に格納されたホワイトバランスゲイン設定テーブル２００に、対応するホワイトバランスゲインが存在しない場合は、以下のように動作する。例えば、設定されたＩＳＯ感度値が１００で、推定或いは設定された色温度が蛍光灯（４５００Ｋ）と太陽光（５５００Ｋ）の間の５０００Ｋだった場合、対応するホワイトバランスゲインが図６の設定テーブルには存在しない。対応するホワイトバランスゲインが存在しない場合、コントローラ１３０はホワイトバランスゲインを補間演算により求める。具体的には、コントローラ１３０は、ＩＳＯ１００において、２つ以上の代表的な光源色、例えば蛍光灯（４５００Ｋ）と太陽光（５５００Ｋ）のホワイトバランスゲインをフラッシュメモリ１４２から読み出す（Ｓ７０２）。次に、コントローラ１３０は、読み出した蛍光灯（４５００Ｋ）と太陽光（５５００Ｋ）のホワイトバランスゲインに基づいて、ＩＳＯ１００における５０００Ｋに対応するホワイトバランスゲインを補間演算により求める。コントローラ１３０は、補間演算処理により得られたホワイトバランスゲイン（αＥ１、１、βＥ１）を、ホワイトバランス補正に適用するホワイトバランスゲインとして決定する（Ｓ７０３）。コントローラ１３０は、ここで決定したホワイトバランスゲインを画像処理部１２２に通知する。そして、画像処理部１２２内のホワイトバランス補正回路１３３は、ステップＳ７０１でＩＳＯ感度値に基づくゲインが乗算されたことにより得られた画像情報に対して、コントローラ１３０から通知されたホワイトバランスゲインを乗算処理する（Ｓ７０４）。ステップＳ７０３において決定されたホワイトバランスゲインを（αＥ１、１、βＥ１）とし、ステップＳ７０１でＩＳＯ感度値に基づくゲインが乗算されたことにより得られた画像情報（Ｃｒｃ・Ｇｉｒ，Ｃｒｇ・Ｇｉｇ，Ｃｒｂ・Ｇｉｂ）を（Ｄｒ，Ｄｇ，Ｄｂ）とした場合、ホワイトバランスゲインを乗算した結果は、（αＥ１・Ｄｒ，Ｄｇ，βＥ１・Ｄｂ）となる。コントローラ１３０は、その乗算結果を画像処理部１２２内の処理部に出力する。
【００５１】
以上により、デジタルカメラ１００は、ホワイトバランス補正動作を終了する。ホワイトバランス補正処理後、画像情報は画像処理部１２２にて圧縮処理等の処理が施され、最終的にメモリカード１４０に記録される。
【００５２】
１−４．まとめ
以上のように、実施の形態１に係るデジタルカメラ１００は、被写体像を撮像して画像情報を出力するＣＣＤイメージセンサ１２０と、ＣＣＤイメージセンサ１２０から出力される画像信号を増幅する際のＩＳＯ感度に応じた出力信号増幅ゲインの値を設定するＡＦＥ１２１と、ＡＦＥ１２１で設定された出力信号増幅ゲインに応じて、ホワイトバランス補正に用いるホワイトバランスゲインの値を決定するコントローラ１３０と、ＣＣＤイメージセンサ１２０から出力された画像情報に対して、ＡＦＥ１２１で設定された出力信号増幅ゲイン及びコントローラ１３０で決定されたホワイトバランスゲインの値に基づいて、ホワイトバランス補正を行う画像処理部１２２と、を備える。
【００５３】
このような構成によれば、ＩＳＯ感度の値に応じた出力信号増幅ゲインの値に応じて、ホワイトバランス補正に用いるホワイトバランスゲインの値が決定され、決定されたホワイトバランスゲインの値に基づいてホワイトバランス補正が行われる。したがって、ＩＳＯ感度値に応じたホワイトバランス補正を行うことができる。これにより、ＩＳＯ感度の値によらず、適切な色が再現されるようにホワイトバランス補正を行うことができる。例えば、ＩＳＯ感度値が大きい高感度時においても、適切な色が再現されるようにホワイトバランス補正を行うことができる。
【００５４】
デジタルカメラ１００は、ＡＦＥ１２１で設定可能なＩＳＯ感度値と、当該設定可能なＩＳＯ感度値において設定可能なホワイトバランスゲインの値とを対応付けて格納するホワイトバランスゲインの設定テーブル（対応情報）を格納するフラッシュメモリ１４２を備え、ＡＦＥ１２１で設定されたＩＳＯ感度値に基づいて、当該ＩＳＯ感度におけるホワイトバランスゲインの値をフラッシュメモリ１４２から読み出し、この読み出したホワイトバランスゲインの値に基づいて、ホワイトバランス補正に用いるホワイトバランスゲインの値を決定する。
【００５５】
これにより、ホワイトバランスゲインの値をＩＳＯ感度値に応じてより適切に設定することができる。
【００５６】
また、上記実施の形態１に係るデジタルカメラ１００は、ホワイトバランス補正の際に用いる色温度を設定するコントローラ１３０を更に備え、フラッシュメモリ１４２は、ＡＦＥ１２１で設定可能なＩＳＯ感度の値と、コントローラ１３０で設定可能な色温度の値と、ＡＦＥ１２１で設定可能なＩＳＯ感度値及び前記コントローラ１３０で設定可能な色温度におけるホワイトバランスゲインと、を対応付けて格納する。コントローラ１３０は、設定されたＩＳＯ感度の値および色温度に基づいて、対応するホワイトバランスゲインをフラッシュメモリ１４２から読み出し、ホワイトバランス補正に適用するホワイトバランスゲインの値を決定する。
【００５７】
これにより、デジタルカメラ１００は、設定された色温度及びＩＳＯ感度に応じた適切なホワイトバランスゲインを画像情報に対して施すことができる。
【００５８】
上記実施の形態１に係るデジタルカメラ１００は、ＣＣＤイメージセンサ１２０の駆動モードとして複数の駆動モードを備え、フラッシュメモリ１４２は、複数の駆動モードのそれぞれに応じた設定テーブルを格納しており、コントローラ１３０は、駆動モードに応じた設定テーブルに基づいて、ホワイトバランス補正に用いるホワイトバランスゲインの値を決定する。
【００５９】
このような構成により、デジタルカメラ１００は、ＣＣＤイメージセンサ１２０の駆動モードに応じて、適切なホワイトバランスゲインを画像情報に対して施すことができる。ＣＣＤイメージセンサ１２０は、駆動モードに応じて蓄積電荷の読出し処理スピードが異なる。そのため、駆動モードごとに出力されるＲＧＢのバランスが異なってしまう。この課題に対して、本発明では複数の駆動モードのそれぞれに応じて、ホワイトバランスの設定テーブルを格納しておくことにより、デジタルカメラ１００は、現在設定されている駆動モードに最適なホワイトバランスゲインを設定することができる。
【００６０】
（他の実施の形態）
本発明は、実施の形態１に限定されず、種々の実施形態が考えられる。以下、本発明の他の実施の形態についてまとめて記載する。
【００６１】
実施の形態１において、ＣＣＤイメージセンサ１２０を、撮像部の一例として説明したが、本発明はこれに限定されない。すなわち、撮像部は、ＣＭＯＳイメージセンサや、ＮＭＯＳイメージセンサなど他の撮像素子であってもよい。ＣＣＤイメージセンサの場合、上記実施の形態１においても説明したように、各画素で発生した電荷を、ＡＦＥ１２１に転送し、そこで画像信号として扱えるようにＩＳＯ感度値に基づくゲインを乗じた。しかし、ＣＭＯＳイメージセンサの場合、各画素で電荷を蓄積したあと、画素ごとに画像信号として扱えるようにＩＳＯ感度値に基づくゲインを乗じればよい。このようにＣＭＯＳイメージセンサを撮像部として利用する場合、ゲイン設定部は、ＣＭＯＳイメージセンサ内のゲインコントローラに対応する。
【００６２】
また、実施の形態１において、色分離のためのフィルタを、ＲＧＢの原色フィルタとしたが、ＣＭＹ等の補色フィルタでも良い。この場合、ホワイトバランスゲイン設定テーブル２００として、設定可能な各ＩＳＯ感度値に補色フィルタのそれぞれについてのホワイトバランスゲインを対応付けたテーブルをフラッシュメモリ１４２に格納しておけばよい。
【００６３】
また、実施の形態１において、ホワイトバランスゲイン設定テーブル２００には、電球（３２００Ｋ）、蛍光灯（４５００Ｋ）、太陽光（５５００Ｋ）、曇り空（６５００Ｋ）のそれぞれに対して、ＩＳＯ感度がＩＳＯ１００、ＩＳＯ２００、…、ＩＳＯ６４００、ＩＳＯ１２８００のときのそれぞれのホワイトバランスゲインが規定されているとしたが、これに限定されない。例えば、ホワイトバランスゲイン設定テーブル２００には、蛍光灯（４５００Ｋ）および太陽光（５５００Ｋ）におけるホワイトバランスゲインだけを規定しておいてもよい。このとき、蛍光灯（４５００Ｋ）および太陽光（５５００Ｋ）以外の色温度におけるホワイトバランスは、蛍光灯（４５００Ｋ）および太陽光（５５００Ｋ）におけるホワイトバランスゲインに基づいて補間演算するようにすればよい。
【００６４】
また、実施の形態１において、ホワイトバランス設定テーブル２００には、ＩＳＯ感度がＩＳＯ１００、ＩＳＯ２００、…、ＩＳＯ６４００、ＩＳＯ１２８００のときのそれぞれのホワイトバランスゲインを規定した。しかし、所定の低いＩＳＯ感度のときのホワイトバランスゲインと、所定の高いＩＳＯ感度のときのホワイトバランスゲインとのみを規定するようにしてもよい。例えば、ＩＳＯ１００のときのホワイトバランスゲインと、ＩＳＯ６４００のときのホワイトバランスゲインとのみを規定するようにしてもよい。
【００６５】
この場合において、（１）  ＩＳＯ１００よりも高く、かつ、ＩＳＯ６４００よりも低いＩＳＯ感度のときのホワイトバランスゲインについては、低いＩＳＯ感度であるＩＳＯ１００のときのホワイトバランスゲインを適用すればよい。これは、低いＩＳＯ感度のときの方が、ＣＣＤイメージセンサ１２０から出力される画像情報における画像信号成分に対するノイズ成分の割合が許容できる程度に少ないため、このような画像情報から演算されたホワイトバランスゲインは、精度が高く、色再現性に対する信頼度が高いからである。
【００６６】
また、（２）  ＩＳＯ６４００のときのホワイトバランスゲインについては、ＩＳＯ６４００のときのホワイトバランスゲインを適用すればよい。ＩＳＯ６４００のときは、それより低いＩＳＯ感度のときよりも、ＣＣＤイメージセンサ１２０からの画像情報において、画像信号成分に対するノイズ成分の割合が顕著に増加してくる、つまりノイズが顕著に現れてくるので、画像信号成分に対するノイズ成分が許容できなくなってくる。ＩＳＯ６４００に基づくゲインを施した結果に対して、ＩＳＯ１００のときのホワイトバランスゲインを乗じると、ＲＧＢのバランスが崩れてしまう可能性がある。そのため、ＩＳＯ６４００で撮影が行われたときは、画像処理部１２２は、ＩＳＯ６４００に基づくゲインを画像情報に施した結果に対して、ＩＳＯ６４００にて演算されたホワイトバランスゲインを乗じるようにする。これにより、ＩＳＯ６４００のような高いＩＳＯ感度の設定時においても、色再現性を改善することができる。
【００６７】
また、（３）  ＩＳＯ６４００よりも高いＩＳＯ感度であるＩＳＯ１２８００のときのホワイトバランスゲインについては、ＩＳＯ６４００のときのホワイトバランスゲインを適用すればよい。ＩＳＯ６４００よりも高いＩＳＯ感度であるＩＳＯ１２８００においては、画像信号成分に対するノイズ成分の割合が非常に大きくなる。つまり、ＩＳＯ６４００よりも高いＩＳＯ感度の領域では、ＩＳＯ６４００のときよりもノイズが一層顕著に現れてくる。そのため、ＩＳＯ１２８００にて得られた画像情報から演算されるホワイトバランスゲインは、精度が低く、色再現性に対する信頼度が低くなる。また、上述した例と同様に、ＩＳＯ１２８００に基づくゲインを画像情報に施した結果に対して、ＩＳＯ１００のときのホワイトバランスゲインを乗じると、ＲＧＢのバランスが崩れてしまう可能性がある。そのため、ＩＳＯ１２８００で撮影が行われたときは、画像処理部１２２は、ＩＳＯ１２８００に基づくゲインを画像情報に施した結果に対しては、ＩＳＯ６４００にて演算されたホワイトバランスゲインを乗じるようにする。これにより、ＩＳＯ１２８００のような高ＩＳＯ感度設定時においても、色再現性を改善することができる。なお、上記の説明においては、ＩＳＯ６４００、ＩＳＯ１２８００を高いＩＳＯ感度の例としたが、これに限定されるものではない。すなわち、仕上がる画像の色再現性の程度に応じて、ＩＳＯ６４００やＩＳＯ１２８００以外の所定の閾値を設定してもよい。
【００６８】
なお、上記の例では、所定の高いＩＳＯ感度としてＩＳＯ６４００を用いたが、この値に限られない。例えば、ノイズが顕著に現れるＩＳＯ感度の領域とそうでない領域とを区別できるＩＳＯ感度の値を用いてもよい。例えば、図８に示すように、ＩＳＯ感度値とＣＣＤイメージセンサ１２０の出力の関係性（リニアリティ）において、高いＩＳＯ感度領域では、リニアリティがＩＳＯ感度値の増加ととともに徐々に失われていく。この場合において、リニアリティからのずれ量δがはじめて１０％を超えるＩＳＯ感度値を所定の高いＩＳＯ感度値として用いてもよい。
【００６９】
第１の実施の形態では、ホワイトバランスゲインを決定する際、ホワイトバランスゲインの設定テーブルを用いる例を説明したが、これに限定されない。つまり、複数のＩＳＯ感度において、対応するホワイトバランスゲインの値が読み出せる構成であればよい。
【００７０】
第１の実施の形態では、ＩＳＯ感度値に基づくゲインをステップＳ７０１で乗算した後、ホワイトバランスゲインをステップＳ７０３で別途乗算しているが、これに限定されない。例えば、設定テーブルに、ＩＳＯ感度値に基づくゲインとホワイトバランスゲインとを乗算した値を規定しておいてもよい。そして、この規定された値を、ＩＳＯ感度（及び色温度）に基づいて、ステップＳ７０２において読み出して、以後の処理を実行する。これにより、ステップＳ７０１を省略することができる。
【００７１】
なお、上記各実施形態の技術思想は、レンズ一体型のカメラであっても、レンズ着脱式のカメラであっても適用可能である。
【００７２】
以上のように、上記各実施形態によれば、高感度時においても、適切な色が再現されるようにホワイトバランス補正を行うことができる撮像装置を提供することができる。
【産業上の利用可能性】
【００７３】
本発明はデジタルカメラだけでなく、ムービーカメラやカメラ付き情報端末など、撮像時にホワイトバランス補正を行う撮像装置に広く適用可能である。
【符号の説明】
【００７４】
１００…デジタルカメラ
１１１…フォーカスレンズ
１１２…ズームレンズ
１１３…絞り
１１４…シャッタ
１２０…ＣＣＤイメージセンサ
１２１…ＡＦＥ（アナログ・フロント・エンド）
１２２…画像処理部
１２３…液晶モニタ
１２４…バッファメモリ
１３０…コントローラ
１４０…メモリカード
１４１…カードスロット
１４２…フラッシュメモリ
１５０…操作部
１６０…フラッシュ
２０１…レリーズ釦
２０２…ズームレバー
２０３…電源釦
２０４…中央釦
２０５…十字釦
【図１】
0005927565.tif 000002
【図２】
0005927565.tif 000003
【図３】
0005927565.tif 000004
【図４】
0005927565.tif 000005
【図５】
0005927565.tif 000006
【図６】
0005927565.tif 000007
【図７Ａ】
0005927565.tif 000008
【図７Ｂ】
0005927565.tif 000009
【図８】
0005927565.tif 000010
【図９】
0005927565.tif 000011